(57)【要約】【課題】浴室と隣接し、洗面台と洗濯機が設置される洗濯機置き場とが互いに対向して配置され、洗面台と洗濯機置き場との間の空間が浴室の出入口に臨む洗面所において、浴室の出入口の有効開口を確保することができる洗面所を提供する。【解決手段】浴室２と隣接し、洗面台４と洗濯機５が設置される洗濯機置き場５１とが第１方向に対向して配置され、洗面台４と洗濯機置き場５１との間の空間が浴室２の出入口２１に臨む洗面所１において、浴室２との境界部には、第１方向に沿った第１壁部（壁部）３１が設けられ、第１壁部３１には、第１方向の一方側に出入口２１が設けられ、洗面台４は、洗濯機置き場５１よりも第１方向の寸法が小さいとともに、第１壁部３１の第１方向の一方側に第１方向の他方側を向くように配置され、洗濯機置き場５１は、第１壁部３１の第１方向の他方側に配置されている。【選択図】図１
2018003564.tif 000002
【特許請求の範囲】
【請求項１】
浴室と隣接し、洗面台と洗濯機が設置される洗濯機置き場とが第１方向に対向して配置され、前記洗面台と前記洗濯機置き場との間の空間が前記浴室の出入口に臨む洗面所において、
前記浴室との境界部には、前記第１方向に沿った壁部が設けられ、
該壁部における前記第１方向の一方側には、前記出入口が形成され、
前記洗面台は、前記洗濯機置き場よりも前記第１方向の寸法が小さいとともに、前記第１方向の一方側に前記第１方向の他方側を向くように配置され、
前記洗濯機置き場は、前記第１方向の他方側に配置されていることを特徴とする洗面所。
【請求項２】
前記洗濯機置き場と前記壁部との間には、前記洗濯機と接続される給水機構が収容される給水機構収容部が設けられていることを特徴とする請求項１に記載の洗面所。
【請求項３】
前記給水機構収容部は、着脱可能な天板を有することを特徴とする請求項２に記載の洗面所。
【発明の詳細な説明】
【技術分野】
【０００１】
本発明は、浴室と隣接し洗面台および洗濯機が設置される洗濯機置き場が配置される洗面所に関する。
【背景技術】
【０００２】
従来、浴室と隣接し洗面台および洗濯機が配置される洗面所では、洗面台および洗濯機が浴室の出入口や隣接する廊下や部屋との出入口と干渉しない位置に配置されている（例えば、特許文献１参照）。洗面所において洗面台および洗濯機は、例えば、特許文献１に開示されているようにそれぞれ同じ方向を向くように並んで配置される場合や、互いに間隔をあけて対向して配置される場合などがある。
洗面所において洗面台と洗濯機とが互いに間隔をあけて対向して配置される場合、洗面台と洗濯機との間の空間が浴室の出入口に臨むように設計されることがある。
【先行技術文献】
【特許文献】
【０００３】
【特許文献１】特開２００３−８２８６３号公報
【発明の概要】
【発明が解決しようとする課題】
【０００４】
図４に示す洗面所１０１は、浴室１０２との境界部に壁部１０３が設けられ、壁部１０３には壁部１０３に沿った水平方向（第１方向）の一方側に浴室１０２の出入口１２１が形成されている。このような洗面所１０１において、洗面台１０４が第１方向の他方側、洗濯機１０５が第１方向の一方側となるように洗面台１０４と洗濯機１０５とを第１方向に対向させて配置すると、洗面所１０１の第１方向の寸法が小さい場合、洗濯機１０５が浴室１０２の出入口１２１を塞いでしまい、浴室１０２の出入口１２１の有効開口を十分に確保できないという問題がある。
【０００５】
そこで、本発明は、浴室と隣接し、洗面台と洗濯機が設置される洗濯機置き場とが互いに対向して配置され、洗面台と洗濯機置き場との間の空間が浴室の出入口に臨む洗面所において、浴室の出入口の有効開口を確保することができる洗面所を提供することを目的とする。
【課題を解決するための手段】
【０００６】
上記目的を達成するため、本発明に係る洗面所は、浴室と隣接し、洗面台と洗濯機が配置される洗濯機置き場とが第１方向に対向して配置され、前記洗面台と前記洗濯機置き場との間の空間が前記浴室の出入口に臨む洗面所において、前記浴室との境界部には、前記第１方向に沿った壁部が設けられ、該壁部における前記第１方向の一方側には、前記出入口が形成され、前記洗面台は、前記洗濯機置き場よりも前記第１方向の寸法が小さいとともに、前記第１方向の一方側に前記第１方向の他方側を向くように配置され、前記洗濯機置き場は、前記第１方向の他方側に前記第１方向の一方側を向くように配置されていることを特徴とすることを特徴とする。
【０００７】
本発明では、洗面台が第１方向の一方側に第１方向の他方側を向くように配置されていることにより、洗面台が浴室の出入口と重なり、浴室の出入口の一部を塞ぐことになる。
しかしながら、洗面台は、洗濯機置き場よりも第１方向の寸法が小さいことにより、洗濯機置き場が浴室の出入口と重なり、浴室の出入口の一部を塞ぐように配置されている場合と比べて、浴室の出入口の有効開口（洗面台や洗濯機置き場で塞がれていない部分の開口）を大きく確保することができる。
本発明における「洗面台と洗濯機置き場とが対向している」とは、洗面所において洗面台および洗濯機がそれぞれの互いの方向を向くように配置されている状態を意味している。
【０００８】
また、本発明に係る洗面所では、前記洗濯機置き場と前記壁部との間には、前記洗濯機と接続される給水機構が収容される給水機構収容部が設けられていることが好ましい。
このような構成とすることにより、洗濯機置き場周辺の壁部に給水機構を埋め込んで設置する必要がないため、リフォームの場合でも洗濯機置き場周辺の壁部を解体することなく給水機構を設けることができる。また、給水機構収容部に洗濯機の給水ホースと接続される給水栓を設けると、洗濯機置き場周辺の壁部に給水栓を突出するように設けなくてもよいため、洗面所の空間の意匠性を向上させることができる。
【０００９】
また、本発明に係る洗面所では、前記給水機構収容部は、着脱可能な天板を有することが好ましい。
このような構成とすることにより、天板を外すことで給水機構収容部の内部の給水機構を容易に点検することができる。また、給水機構の点検を行うとき以外は、天板を取り付けておくことで天板の上に物を載置することができる。
【発明の効果】
【００１０】
本発明によれば、洗面所の第１方向の寸法を十分に確保できない場合でも浴室の出入口の有効開口を大きく確保することができる。
【図面の簡単な説明】
【００１１】
【図１】本発明の実施形態による洗面所の一例を示す平面図である。
【図２】図１のＡ−Ａ線断面図である。
【図３】図１のＢ方向矢視図である。
【図４】従来の洗面所を示す平面図である。
【発明を実施するための形態】
【００１２】
以下、本発明の実施形態による洗面所について、図１乃至図３に基づいて説明する。
図１に示すように、本実施形態による洗面所１は、住居などに浴室２と隣接して設けられている。
洗面所１は、平面形状が長方形に形成され、壁部３に囲まれている。
壁部３は、浴室２との境界部に設けられ第１方向（図１の縦方向）に延びる第１壁部３１と、第１壁部３１の第１方向の一方側の端部３１ａから第１方向に直交する第２方向（図１の横方向）の一方側に延びる第２壁部３２と、第１壁部３１の第１方向の他方側の端部３１ｂから第２方向の一方側に延びる第３壁部３３と、第２壁部３２の第２方向の一方側の端部３２ａと第３壁部３３の第２方向の一方側の端部３３ａとを結ぶ第４壁部３４と、から構成されている。本実施形態では、第２壁部３２と第３壁部３３との間の寸法Ｌ１は、例えば、２１８０ｍｍに設定されている。第２壁部３２と第３壁部３３との間の寸法Ｌ１は、第１壁部３１の第１方向の寸法と同じ値に設定されている。
【００１３】
第１壁部３１には、第１方向の一方側に浴室２の出入口２１が形成され、第１方向の他方側に壁面収納３５が設けられている。壁面収納３５は第１壁部３１の高さ方向の中間部に設けられている。
本実施形態では、浴室２の出入口２１は、幅寸法（第１方向の寸法）Ｌ２が例えば、１１６０ｍｍに設定され、第１壁部３１の第１方向の一方側の端部３１ａよりも第１方向の他方側に例えば、１００ｍｍ向かった位置に形成されている。
第４壁部３４には、第１方向の一方側寄りに洗面所１の出入口１１が形成されている。例えば、住居の廊下と洗面所１とが出入口１１を介して連通されている。
【００１４】
洗面所１には、洗面台４と、洗濯機５が設置される洗濯機置き場５１と、洗濯機５と接続される給水機構６３を収容する給水機構収容部６と、が設けられている。洗濯機置き場５１は、洗濯機５が設置されるスペースを示し、例えば、洗濯機５が設置される防水パン５１１（図３参照）が設けられている。
図１および図２に示すように、洗面台４の奥行き寸法（使用者と対向する方向の寸法）Ｌ３は、例えば、４５０ｍｍに設定されている。
洗面台４は、奥行き方向が第１方向となり、第１方向の他方側を向き、使用者が第１方向の他方側から一方側に向いて使用できるように配置されている。洗面台４は、第２壁部３２に沿って配置され、第１壁部３１の第１方向の一方側に形成された浴室２の出入口２１と重なっている。このため、浴室２の出入口２１のうちの洗面台４と重ならない部分の第１方向の寸法（有効開口寸法）Ｌ４は、８１０ｍｍとなっている。
【００１５】
図１に戻り、洗濯機置き場５１および洗濯機５それぞれの奥行き寸法（使用者と対向する方向の寸法）Ｌ５は、同じ寸法の例えば、７２０ｍｍで、洗面台４の奥行き寸法Ｌ３よりも大きく設定されている。
洗濯機５は、奥行き方向が第１方向となり、第１方向の一方側を向き、使用者が第１方向の一方側から他方側に向いて使用できるように配置されている。洗濯機５は、第３壁部３３に沿って配置され、第１壁部３１の第１方向の他方側（壁面収納３５が設けられている側）と間隔をあけて重なっている。
本実施形態では、洗濯機置き場５１および洗濯機５の上方に第３壁部３３に固定された壁付収納５２（図３参照）が設けられている。
【００１６】
本実施形態では、洗面台４、洗濯機置き場５１および洗濯機５は、洗面台４が第２方向の他方側に配置され、洗濯機置き場５１および洗濯機５が第２方向の一方側に配置された状態で第１方向に対向している。洗面台４と洗濯機置き場５１および洗濯機５との間の空間は、浴室２の出入口２１に臨んでいて、洗面台４および洗濯機５を使用する使用者が立つスペースとなるとともに浴室２の脱衣スペースとして使用されるように想定されている。
【００１７】
図１乃至図３に示すように、給水機構収容部６は、洗濯機置き場５１および洗濯機５と第１壁部３１との間に第３壁部３３に沿って設けられている。給水機構収容部６は、第１壁部３１に設けられた壁面収納３５よりも下側に設けられている。
給水機構収容部６は、箱型に形成されており、壁部３または床下から引き出された洗濯機５用の給水管６１や給水栓６２などの給水機構６３が収容されている。給水栓６２は、給水機構収容部６の第２方向の一方側から洗濯機５の給水ホースが接続できるように第２方向の一方側を向いて給水機構収容部６の側面に取り付けられている。
【００１８】
給水機構収容部６は、第１方向の一方側に、例えば、洗面所で使用するものを収納する収納庫６４が一体に設けられている。収納庫６４は、第１方向の一方側から使用可能で、例えば、第１方向の一方側から使用できる引き出しや第１方向の一方側から開閉する扉などが設けられている。
給水機構収容部６および収納庫６４の上部には、天板６５が設けられている。天板６５は、給水機構収容部６および収納庫６４に着脱可能に構成されていて、給水機構収容部６および収納庫６４から天板６５を外すと、給水機構収容部６および収納庫６４の内部を視認できるように構成されている。
なお、天板６５は、給水機構収容部６の上部に設けられる部分と収納庫６４の上部に設けられる部分とが分割されていて、給水機構収容部６の上部に設けられる部分のみが給水機構収容部６に着脱可能で、収納庫６４の上部に設けられる部分が収納庫６４に固定されていてもよい。
【００１９】
次に、上述した本発明の実施形態による洗面所１の作用・効果について説明する。
上述した本発明の実施形態による洗面所１では、洗面台４が第１壁部３１の第１方向の一方側と重なるように配置されていることにより、洗面台４が浴室２の出入口２１と重なり、浴室２の出入口２１の一部を塞ぐことになる。
しかしながら、洗面台４は、洗濯機置き場５１および洗濯機５よりも第１方向の寸法（奥行き寸法）が小さいことにより、洗濯機置き場５１および洗濯機５が浴室２の出入口２１と重なり、浴室２の出入口２１の一部を塞ぐように配置されている場合と比べて、浴室２の出入口２１の有効開口（洗面台４や洗濯機５で塞がれていない部分の開口）を大きく確保することができる。
【００２０】
また、洗濯機置き場５１および洗濯機５と第１壁部３１との間には、給水機構収容部６が設けられていることにより、洗濯機置き場５１の周辺の壁部３（例えば、第３壁部３３や第４壁部３４）に給水機構６３を埋設する必要がないため、リフォームの場合でも洗濯機置き場５１の周辺の壁部３を解体することなく給水機構６３を更新することができる。また、給水機構収容部６に洗濯機５の給水ホースと接続される給水栓６２が設けられていることにより、洗濯機置き場５１の周辺の壁部３に給水栓を突出するように設けなくてよいため、洗面所１の空間の意匠性を向上させることができる。
【００２１】
また、給水機構収容部６は、着脱可能な天板６５を有することにより、天板６５を外すことで給水機構収容部６の内部の給水機構６３を容易に点検することができる。また、給水機構６３の点検を行うとき以外は、天板６５を取り付けておくことで天板６５の上に物を載置することができる。
【００２２】
以上、本発明による洗面所の実施形態について説明したが、本発明は上記の実施形態に限定されるものではなく、その趣旨を逸脱しない範囲で適宜変更可能である。
例えば、上記の実施形態では、洗面台４、洗濯機置き場５１および洗濯機５は、洗面台４が第２方向の他方側に配置され、洗濯機置き場５１および洗濯機５が第２方向の一方側に配置された状態で第１方向に対向しているが、洗面台４、洗濯機置き場５１および洗濯機５の第２方向の位置は適宜設定されてよい。
また、上記の実施形態では、洗濯機置き場５１および洗濯機５それぞれの奥行き寸法は、同じ寸法に設定されているが、異なる寸法に設定されていてもよい。
また、洗面所１の壁部３、浴室２の出入口２１、洗面台４、洗濯機置き場５１および洗濯機５などの寸法は適宜設定されてよい。
また、上記の実施形態では、第１壁部３１に壁面収納３５が設けられているが、設けられていなくてもよい。第１〜第４壁部３４には、窓などの開口部、収納棚や鏡などが適宜設けられてもよい。
【００２３】
また、上記の実施形態では、洗面所１に給水機構収容部６が設けられているが、壁部３内に給水管６１が設けられ壁部３から給水栓６２が突出して設けられていてもよい。
また、上記の実施形態では、給水機構収容部６が収納庫６４と一体に形成されているが、収納庫６４と一体に形成されていなくてもよい。また、給水機構収容部６の上部には着脱可能な天板６５が設けられていて天板６５を外すことで給水機構６３を点検可能に構成されているが、給水機構６３を点検する方法は適宜設定されてよい。
また、上記の実施形態では、洗濯機置き場５１には、洗濯機５が設置される防水パン５１１が設けられているが、防水パン５１１が設けられていなくてもよい。
【符号の説明】
【００２４】
１  洗面所
２  浴室
３  壁部
４  洗面台
５  洗濯機
６  給水機構収容部
２１  出入口
３１  第１壁部（壁部）
５１  洗濯機置き場
６３  給水機構
６５  天板
【図１】
2018003564.tif 000003
【図２】
2018003564.tif 000004
【図３】
2018003564.tif 000005
【図４】
2018003564.tif 000006